(57)【要約】【課題】  複数の画像データが入力された場合に同一の画像データに基づく画像が複数表示されることを抑制することを短時間で実現することが可能な画像処理装置を提供することを目的とする。【解決手段】  画像処理装置１００は、複数の画像データを取得する複数の入力手段１１ａ〜１１ｄと、複数の画像データが同一の画像データを２以上含むか否かを、各画像データに重畳された付加情報に基づいて判定する判定部１１６と、判定部１１６の判定結果に基づいて、複数の画像データを用いて表示画像データを生成する生成部１１１と、を備え、生成部１１１は、複数の画像データが２以上の同一の画像データを含む場合、２以上の同一の画像データのうち、１つの画像データを用いて表示画像データを生成し、そうでない場合、複数の画像データを用いて表示画像データを生成することを特徴とする。【選択図】  図３
2019029799.tif 000002
【特許請求の範囲】
【請求項１】
出力装置から出力された複数の画像データを入力する複数の入力手段と、
前記複数の画像データが同一の画像データを２以上含むか否かを、各画像データに重畳された付加情報に基づいて判定する判定手段と、
前記判定手段の判定結果に基づいて、前記複数の画像データの少なくとも１つの画像データを用いて表示画像データを生成する生成手段と、
を備え、
前記生成手段は、
前記複数の画像データが２以上の同一の画像データを含む場合、前記２以上の同一の画像データのうち、１つの画像データを用いて前記表示画像データを生成し、
そうでない場合、前記複数の画像データを用いて表示画像データを生成することを特徴とする画像処理装置。
【請求項２】
前記出力装置は、複数の出力端子を有し、各画像データを互いに異なる出力端子から出力し、
前記付加情報は、各画像データが出力される前記出力端子に関する情報を含み、
前記判定手段は、同一の出力端子から出力された画像データが、２以上の前記入力端子に入力された場合、当該２以上の入力端子に入力した２以上の画像データが同一の画像データであると判定することを特徴とする請求項１に記載の画像処理装置。
【請求項３】
前記出力装置は、第１の解像度の元画像を分割して得られる前記第１の解像度よりも低い第２の解像度の複数の画像に対応する前記複数の画像データを出力し、
前記付加情報は、各画像データが対応する画像の前記元画像における位置に関する情報を含み、
前記判定手段は、前記元画像において、同一の位置を示す情報が付加された画像データが、２以上の前記入力端子に入力された場合、当該２以上の入力端子に入力した２以上の画像データが同一の画像データであると判定することを特徴とする請求項１に記載の画像処理装置。
【請求項４】
前記第１の解像度は、４Ｋであり、
前記第２の解像度は、２Ｋであることを特徴とする請求項３に記載の画像処理装置。
【請求項５】
前記出力装置は、元画像に互いに異なる色変換処理を施して得られる複数の画像に対応する前記複数の画像データを出力し、
前記付加情報は、各画像データが対応する画像に施された色変換処理に関する情報を含み、
前記判定手段は、同一の色変換処理を施された画像データが、２以上の前記入力端子に入力された場合、当該２以上の入力端子に入力した２以上の画像データが同一の画像データであると判定することを特徴とする請求項１に記載の画像処理装置。
【請求項６】
前記出力装置は、元画像に互いに異なる輝度変換処理を施して得られる複数の画像に対応する前記複数の画像データを出力し、
前記付加情報は、各画像データが対応する画像に施された輝度変換処理に関する情報を含み、
前記判定手段は、同一の輝度変換処理を施された画像データが、２以上の前記入力端子に入力された場合、当該２以上の入力端子に入力した２以上の画像データが同一の画像データであると判定することを特徴とする請求項１に記載の画像処理装置。
【請求項７】
前記出力装置は、元画像に所定の特性画像を重畳した画像に対応する画像データを含む前記複数の画像データを出力し、
前記付加情報は、各画像データに重畳された特性画像に関する情報を含み、
前記判定手段は、同一の特性画像が重畳された画像データが、２以上の前記入力端子に入力された場合、当該２以上の入力端子に入力した２以上の画像データが同一の画像データであると判定することを特徴とする請求項１に記載の画像処理装置。
【請求項８】
前記生成手段は、前記複数の画像データが同一の画像データを複数含む場合、前記複数の画像データが同一の画像データを複数含むことを示す画像を前記表示画像データに重畳することを特徴とする請求項１乃至請求項７のいずれか１項に記載の画像処理装置。
【請求項９】
前記入力手段は、
第１の画像データを取得する第１入力端子と、
第２の画像データを取得する第２入力端子と、
第３の画像データを取得する第３入力端子と、
第４の画像データを取得する第４入力端子と、
を備え、
前記生成手段は、
前記第１の画像データと前記第２の画像データとが同一であり、かつ、前記第３の画像データと前記第４の画像データとが同一である場合、前記第１の画像データと前記第３の画像データとを用いて、前記表示画像データを生成し、
そうでない場合、前記第１の画像データ、前記第２の画像データ、前記第３の画像データおよび前記第４の画像データを用いて、前記表示画像データを生成することを特徴とする請求項１乃至請求項８のいずれか１項に記載の画像処理装置。
【請求項１０】
請求項１乃至請求項９のいずれか１項に記載の画像処理装置と、
前記表示画像データに基づいて、画像を表示する表示手段と、
を備える表示装置。
【請求項１１】
複数の画像データの取得する複数の入力手段を備え、前記複数の画像データに基づいて表示画像データを生成する画像処理装置の制御方法であって、
前記複数の画像データが同一の画像データを２以上含むか否かを、各画像データに重畳された付加情報に基づいて判定する判定工程と、
前記判定工程の判定結果に基づいて、前記複数の画像データの少なくとも１つの画像データを用いて表示画像データを生成する生成工程と、
を備え、
前記生成工程は、
前記複数の画像データが２以上の同一の画像データを含む場合、前記２以上の同一の画像データのうち、１つの画像データを用いて前記表示画像データを生成し、
そうでない場合、前記複数の画像データを用いて表示画像データを生成することを特徴とする画像処理装置の制御方法。
【請求項１２】
前記出力装置は、複数の出力端子を有し、各画像データを互いに異なる出力端子から出力し、
前記付加情報は、各画像データが出力される前記出力端子に関する情報を含み、
前記判定工程は、同一の出力端子から出力された画像データが、２以上の前記入力端子に入力された場合、当該２以上の入力端子に入力した２以上の画像データが同一の画像データであると判定することを特徴とする請求項１１に記載の画像処理装置の制御方法。
【請求項１３】
前記出力装置は、第１の解像度の元画像を分割して得られる前記第１の解像度よりも低い第２の解像度の複数の画像に対応する前記複数の画像データを出力し、
前記付加情報は、各画像データが対応する画像の前記元画像における位置に関する情報を含み、
前記判定工程は、前記元画像において、同一の位置を示す情報が付加された画像データが、２以上の前記入力端子に入力された場合、当該２以上の入力端子に入力した２以上の画像データが同一の画像データであると判定することを特徴とする請求項１１に記載の画像処理装置の制御方法。
【請求項１４】
前記第１の解像度は、４Ｋであり、
前記第２の解像度は、２Ｋであることを特徴とする請求項１３に記載の画像処理装置の制御方法。
【請求項１５】
前記出力装置は、元画像に互いに異なる色変換処理を施して得られる複数の画像に対応する前記複数の画像データを出力し、
前記付加情報は、各画像データが対応する画像に施された色変換処理に関する情報を含み、
前記判定工程は、同一の色変換処理を施された画像データが、２以上の前記入力端子に入力された場合、当該２以上の入力端子に入力した２以上の画像データが同一の画像データであると判定することを特徴とする請求項１１に記載の画像処理装置の制御方法。
【請求項１６】
前記出力装置は、元画像に互いに異なる輝度変換処理を施して得られる複数の画像に対応する前記複数の画像データを出力し、
前記付加情報は、各画像データが対応する画像に施された輝度変換処理に関する情報を含み、
前記判定工程は、同一の輝度変換処理を施された画像データが、２以上の前記入力端子に入力された場合、当該２以上の入力端子に入力した２以上の画像データが同一の画像データであると判定することを特徴とする請求項１１に記載の画像処理装置の制御方法。
【請求項１７】
前記出力装置は、元画像に所定の特性画像を重畳した画像に対応する画像データを含む前記複数の画像データを出力し、
前記付加情報は、各画像データに重畳された特性画像に関する情報を含み、
前記判定工程は、同一の特性画像が重畳された画像データが、２以上の前記入力端子に入力された場合、当該２以上の入力端子に入力した２以上の画像データが同一の画像データであると判定することを特徴とする請求項１１に記載の画像処理装置の制御方法。
【請求項１８】
前記生成工程は、前記複数の画像データが同一の画像データを複数含む場合、前記複数の画像データが同一の画像データを複数含むことを示す画像を前記表示画像データに重畳することを特徴とする請求項１１乃至請求項１７のいずれか１項に記載の画像処理装置の制御方法。
【請求項１９】
前記入力手段は、
第１の画像データを取得する第１入力端子と、
第２の画像データを取得する第２入力端子と、
第３の画像データを取得する第３入力端子と、
第４の画像データを取得する第４入力端子と、
を備え、
前記生成工程は、
前記第１の画像データと前記第２の画像データとが同一であり、かつ、前記第３の画像データと前記第４の画像データとが同一である場合、前記第１の画像データと前記第３の画像データとを用いて、前記表示画像データを生成し、
そうでない場合、前記第１の画像データ、前記第２の画像データ、前記第３の画像データおよび前記第４の画像データを用いて、前記表示画像データを生成することを特徴とする請求項１１乃至請求項１８のいずれか１項に記載の画像処理装置の制御方法。
【請求項２０】
請求項１１乃至請求項１９のいずれか１項に記載の画像処理装置の制御方法を実行するために、プロセッサが実行することが可能なプログラム。
【発明の詳細な説明】
【技術分野】
【０００１】
本発明は、複数の画像データに基づいて表示画像データを生成する画像処理装置、それを含む表示装置、及び画像処理装置の制御方法、プログラムに関する。
【背景技術】
【０００２】
近年、高解像度の画像データを複数の伝送路を用いて伝送する場合がある。例えば、高解像度の元画像を分割して得られる複数の分割画像からなる複数の画像データを、それぞれ異なる出力端子から出力する撮像装置がある。このような撮像装置では、元画像から得られた複数の分割画像を、複数の出力端子から出力するのみならず、各出力端子から同一の画像データを出力することも可能である。また、同一の画像に対して、それぞれ異なる色変換処理や輝度変換処理を施した複数の画像データを、複数の出力端子を介して出力することも可能である。
【０００３】
一方で、複数の出力端子から出力された複数の画像データを用いて、画像を表示する表示装置がある。このような表示装置では、入力された複数の画像データを用いて、表示画像データを生成する画像処理を施して、生成された表示画像データに基づいて画像を表示する。表示装置は、入力された複数の画像データが上述したように元画像を分割して得られた画像データである場合、もしくは、それぞれ互いに異なる変換処理が施された場合、複数の画像データから得られる画像を合成して元画像に対応する表示画像データを得る。しかし、入力された複数の画像データの２以上の画像データが同一の画像データである場合、ユーザは、同一の２以上の画像データのうち１つの画像データに基づく画像を表示して確認できればよい。
【０００４】
特許文献１には、入力した複数の映像が同一か否かを、信号に付加されたカメラ（撮像装置）の識別情報、あるいは、画像解析結果を用いて判定し、同一である旨を示す情報を表示し、表示する映像を１つにする映像表示装置が開示されている。
【先行技術文献】
【特許文献】
【０００５】
【特許文献１】特開２０１１−９１５７８号公報
【発明の概要】
【発明が解決しようとする課題】
【０００６】
しかしながら、上述の技術では、同一の撮像装置から出力された１つの元画像を分割して得られた複数の画像に基づく複数の画像データは、同一の撮像装置から出力されているため、同一の画像データであると判定される。また、画像解析結果を用いて判定する場合、画像が同一かどうかの判定処理が終了するまでに時間がかかってしまう場合があった。
【０００７】
本発明は、複数の画像データが入力された場合に同一の画像データに基づく画像が複数表示されることを抑制することを短時間で実現することが可能な画像処理装置を提供することを目的とする。
【課題を解決するための手段】
【０００８】
上記の課題を解決するために、本発明の画像処理装置は、複数の画像データの取得する複数の入力手段と、前記複数の画像データが２以上の同一の画像データを含むか否かを、各画像データに重畳された付加情報に基づいて判定する判定手段と、前記判定手段の判定結果に基づいて、前記複数の画像データを用いて表示画像データを生成する生成手段と、を備え、前記生成手段は、前記複数の画像データが２以上の同一の画像データを含む場合、前記２以上の同一の画像データのうち、１つの画像データを用いて前記表示画像データを生成することを特徴とする。
【発明の効果】
【０００９】
本発明によれば、画像データに付加された付加情報に基づいて、複数の画像データに２以上の同一の画像データが含まれるか否かを判定し、同一の画像データのうち１つを用いて表示画像データが生成される。したがって、複数の画像データが入力された場合に同一の画像データに基づく画像が複数表示されることを抑制することを短時間で実現することが可能となる。
【図面の簡単な説明】
【００１０】
【図１】表示装置と撮像装置とを示す模式図である。
【図２】付加情報を示すテーブルの模式図である。
【図３】表示装置の構成を示す模式図である。
【図４】表示画像データ生成フローを示すフローチャートである。
【図５】同一画像判定フローを示すフローチャートである。
【図６】同一画像判定結果を示すテーブルを示す模式図である。
【図７】表示画像を示す模式図である。
【図８】表示画像情報を示すテーブルを示す模式図である。
【図９】ＯＳＤ生成部が生成したＯＳＤ画像を示す模式図である。
【図１０】カメラ情報を示すＯＳＤ画像と表示画像情報を示すＯＳＤ画像を重畳して合成した画面の例を示す模式図である。
【発明を実施するための形態】
【００１１】
＜第１の実施形態＞
本発明の第１の実施形態について説明する。表示装置１は、複数の画像データを取得し、各画像データに重畳された付加情報に基づいて、複数の画像データが２以上の同一の画像データを含むか否かを判定する。複数の画像データが２以上の同一の画像データを含む場合、２以上の同一の画像データのうち１つの画像データを用いて、表示画像データを生成する。ここで、付加情報は、例えば、出力装置情報、出力端子情報、画像構成情報、色変換情報、及び輝度変換情報のうち少なくとも１つを含む情報である。
【００１２】
図１は、表示装置１と撮像装置２とを示す模式図である。表示装置１は、撮像装置２と接続し、撮像装置２から取得した画像データに基づいて表示画像データを生成し、表示画像データに基づく画像を画面に表示する。表示装置１が表示画像データを生成する処理の詳細は後述する。
【００１３】
撮像装置２は、被写体を撮影して得られた元画像に基づく画像データを出力する出力装置である。撮像装置２は、４つの出力端子２１ａ〜２１ｄを備える。なお、出力端子の数は４つに限らない。撮像装置２は、ＳＤＩ信号で、各出力端子から画像データを出力するとする。撮像装置２は、出力端子２１ａから、画像データａを出力する。撮像装置２は、出力端子２１ｂから、画像データｂを出力する。撮像装置２は、出力端子２１ｃから、画像データｃを出力する。撮像装置２は、出力端子２１ｄから、画像データｄを出力する。
【００１４】
元画像が高解像度の画像である場合、撮像装置２は、元画像を田の字に分割して得られた４つの画像に対応する４つの画像データを、出力端子２１ａ〜２１ｄから出力する。例えば、元画像の解像度が４Ｋ（４０９６×２１６０）である場合に、撮像装置２は、元画像を分割して得られた解像度が２Ｋ（２０４８×１０８０）の４つの画像に対応する４つの画像データを出力するとする。これらの画像データは、元画像において異なる領域に対応することから、同一の画像データではないといえる。
【００１５】
一方で、元画像の解像度が２Ｋである場合、撮像装置２は、各出力端子から元画像を出力することが可能である。撮像装置２は、各出力端子から、元画像に対応する画像データを出力する。すなわち、出力端子２１ａ〜２１ｄから出力された各画像データは、同一の画像データである。また、撮像装置２は、元画像に対して異なる色変換処理や輝度変換処理を施して生成した複数の画像対応する複数の画像データを出力することも可能である。例えば、元画像の色空間を、ＢＴ．２０２０で規定された色空間に変換する処理を施した画像に基づく画像データを出力端子２１ａから出力するとする。また、元画像の色空間を、ＢＴ．７０９で規定された色空間に変換する処理を施した画像に基づく画像データを出力端子２１ｂから出力するとする。このような場合、出力端子２１ａから出力された画像データは、出力端子２１ｂから出力された画像データと、同一の画像データでないといえる。
【００１６】
また、撮像装置２は、出力する画像データに付加情報（メタデータ）を重畳した映像信号として出力する。付加情報は、画像データの種類を示す情報である。付加情報は、付加情報は、例えば、出力装置情報、出力端子情報、画像構成情報、色変換情報、及び輝度変換情報のうち少なくとも１つを含む。
【００１７】
図２は、付加情報を示すテーブルの模式図である。図２は、出力装置情報を示すテーブルの模式図である。図２に示すように、出力装置情報は、例えば、機種名、シリアルＮｏ、撮影日時、絞り値、シャッタースピード、ＩＳＯ感度及び焦点距離等の情報を含む。撮像装置２は、出力装置情報をＳＤＩ信号のアンシラリデータ領域に格納して出力するとする。
【００１８】
図２（ｂ）は、出力端子情報を示すテーブルの模式図である。図２（ｂ）に示すように、出力端子情報は、端子種別、端子番号等の情報を含む。撮像装置２は、出力端子情報をＳＤＩ信号のアンシラリデータ領域に格納して出力するとする。
【００１９】
図２（ｃ）は、画像構成情報を示すテーブルの模式図である。図２（ｃ）に示すように、画像構成情報は、水平分割数、垂直分割数、水平位置、垂直位置等の情報を含む。画像構成情報をＳＤＩ信号のアンシラリデータ領域に格納して、出力する。
【００２０】
図２（ｄ）は、色変換情報を示すテーブルの模式図である。図２（ｄ）に示すように、色変換情報は、ガンマ、色域、白色点等の情報を含む。撮像装置２は、色変換情報をＳＤＩ信号のアンシラリデータ領域に格納して出力するとする。
【００２１】
上述のようにして、撮像装置２は、複数の出力端子から、画像データと付加情報とを含む映像信号を出力する。具体的には、出力端子２１ａから画像データａと付加情報とを含む映像信号Ｓａを出力する。出力端子２１ｂから画像データｂと付加情報とを含む映像信号Ｓｂを出力する。出力端子２１ｃから画像データｃと付加情報とを含む映像信号Ｓｃを出力する。出力端子２１ｄから画像データｄと付加情報とを含む映像信号Ｓｄを出力する。
【００２２】
以下、表示装置１の構成及び動作について説明する。図３は、表示装置１の構成を示す模式図である。表示装置１は、画像処理部１００と、表示部２００とを有する。画像処理部１００は、複数の画像データを取得し、取得した複数の画像データに基づいて表示画像データを生成する画像処理装置である。表示部２００は、画像処理部１００から取得した表示画像データに基づいて、画像を表示する。表示部２００は、例えば、バックライト、液晶パネル、および制御基板を備える液晶ディスプレイであるとする。
【００２３】
画像処理部１００は、取得した複数の画像データが同一の画像データを２以上含むか否かを、各画像データの付加情報に基づいて判定する。そして画像処理部１００は、複数の画像データが同一の画像データを２以上含む場合、複数の同一の画像データのうち、１つの画像データを用いて表示画像データを生成する。
【００２４】
画像処理部１００は、入力端子１１ａ〜１１ｄ、画像取得部１２ａ〜１２ｄ、および画像生成部１１０を備える。入力端子１１ａ〜１１ｄは、例えばＳＤＩ（Ｓｅｒｉａｌ  Ｄｉｇｉｔａｌ  Ｉｎｔｅｒｆａｃｅ）規格に準じたＳＤＩ入力端子であるとする。各入力端子は、撮像装置２の出力端子とケーブルを介して接続するとする。
【００２５】
画像取得部１２ａ〜１２ｄは、それぞれ対応する入力端子を介して、撮像装置２から画像データを取得する。具体的には、画像取得部１２ａは、入力端子１１ａを介して撮像装置２から映像信号Ｓａを取得する。画像取得部１２ｂは、入力端子１１ｂを介して撮像装置２から映像信号Ｓｂを取得する。画像取得部１２ｃは、入力端子１１ｃを介して撮像装置２から映像信号Ｓｃを取得する。画像取得部１２ｄは、入力端子１１ｄを介して撮像装置２から映像信号Ｓｄを取得する。
【００２６】
画像取得部１２ａ〜１２ｄは、取得した映像信号から、表示装置１の内部で処理可能な形式の画像データを取り出して、画像生成部１２０に出力する。また、画像取得部１２ａ〜１２ｄは、取得した映像信号から、付加情報を取得して、画像生成部１２０に出力する。
【００２７】
画像生成部１１０は、取得した画像データおよび付加情報に基づいて、表示部２００に出力するための表示画像データを生成して、出力する画像生成装置である。画像生成部１２０は、画像取得部１２ａ〜１２ｄが取得した複数の画像データに関連付けられたメタ情報が、複数の画像データが同一の画像データであることを示しているかを判定する。画像生成部１２０は、複数の画像データが同一の画像データである場合に、複数の同一画像データのうち一つの画像データのみを表示画像データに合成し、かつ他の同一画像データを表示画像データに合成しない。また、画像生成部１１０は、メタ情報が、複数の画像データが同一の画像データでないことを示している場合に、複数の画像データを表示画像データとして合成して表示部２００に表示させる。
【００２８】
画像生成部１１０は、生成部１１１、処理部１１２、ＯＳＤ合成部１１３、出力部１１４、解析部１１５、判定部１１６、ＯＳＤ生成部１１７及びＯＳＤ生成部１１８を備える。生成部１１１は、判定部１１６の判定結果に基づき、取得した複数の画像データのうち表示対象となる画像データを決定し、表示領域の異なる領域に配置するように合成した表示画像からなる表示画像データを生成する。生成部１１１が表示画像データを生成する詳細は後述する。生成部１１１は、表示画像データを、処理部１１２に出力する。
【００２９】
処理部１１２は、生成部１１１から入力された画像データに対して画像処理を施して、画像処理後の画像データをＯＳＤ合成部１１３に出力する。
【００３０】
ＯＳＤ合成部１１３は、ＯＳＤ生成部１１７から入力されたカメラ情報を示すＯＳＤ画像を、処理部１１２から入力された表示画像データに重畳して、出力部１１４に出力する。
【００３１】
出力部１１４は、ＯＳＤ合成部１１３から入力された合成画像データを表示部２００に出力する。
【００３２】
解析部１１５は、画像取得部１２ａ〜１２ｄから入力された各映像信号に重畳された付加情報を取得し、判定部１１６に出力する。また、解析部１１５は、付加情報に含まれる出力装置情報をＯＳＤ生成部１１７に出力する。
【００３３】
判定部１１６は、解析部１１５から入力された複数の画像データに関連付けられた出力装置情報、出力端子情報、画像構成情報及び色変換情報に基づいて、取得した複数の画像データが同一画像データを２以上含む（複数含む）か否かを判定する。判定部１１６は、判定した結果を生成部１１１に出力する。判定部１１６の動作の詳細については後述する。
【００３４】
ＯＳＤ生成部１１７は、解析部１１５から入力された画像データａ及び画像データｂのメタ情報を参照してカメラ情報を示すＯＳＤ画像を生成し、カメラ情報を示すＯＳＤ画像をＯＳＤ合成部１１３に出力する。ＯＳＤ生成部１１７は、解析部１１５から入力された複数の画像データに関連付けられた出力装置情報から、画像データａと画像データｂとが同一の撮像装置２から出力されたことを示している場合、カメラ情報を示すＯＳＤ画像を１つだけ生成する。
【００３５】
図４は、画像処理部１００の表示画像データ生成フローを示すフローチャートである。Ｓ１０１で、画像取得部１２ａ〜１２ｄは、撮像装置２から出力された映像信号に含まれる画像データ及び付加情報を取得する。Ｓ１０２で、生成部１１１は、判定部１１６の判定結果を取得し、同一と判定された画像データのうち一つの画像データ及び、同一でないと判定された画像データを画面に配置した合成画像を生成する。
【００３６】
Ｓ１０３で、処理部１１２は、生成部１１１が生成した合成画像データに画像処理を適用する。Ｓ１０４で、ＯＳＤ合成部１１３は、ＯＳＤ生成部１１７から入力されたカメラ情報を示すＯＳＤ画像を、画像処理後の合成画像データに合成して表示画像データを生成する。Ｓ１０５で、出力部１１４は、ＯＳＤ合成部１１３が生成した表示画像データを表示部２００に出力する。
【００３７】
上述のようにして、出力された表示画像データに基づいて、表示部２００は、画像を画面に表示する。
【００３８】
図５は、判定部１１６における同一画像判定処理の流れを示すフローチャートである。判定部１１６は、２つの画像データの組み合わせに対して判定処理を実行し、全ての組み合わせに対して、判定処理が完了するまで、画像データの組み合わせを変えながら判定処理を繰り返すとする。本実施形態では、はじめに、入力端子１１ａに入力された映像信号Ｓａに含まれる画像データａと、入力端子１１ｂに入力された映像信号Ｓｂに含まれる画像データｂとを比較するとする。
【００３９】
Ｓ２０１で、判定部１１６は、比較対象となる２つの画像データに紐づく付加情報を取得する。以降、Ｓ２０２からＳ２０８の判定処理において、判定部１１６は、各画像データに対応する付加情報に基づいて、２つの画像データが同一であるか否かの判定処理を実行する。
【００４０】
Ｓ２０２で、判定部１１６は、付加情報から抽出した出力機器情報を比較して、２つの画像データが同一の出力機器からの画像データか否かを判定する。判定部１１６は、付加情報に含まれる出力機器情報が一致するか否かを場合に同一機器からの出力画像であると判定する。判定部１１６が２つの画像データが同一の出力機器からの画像データであると判定した場合（Ｓ２０２  Ｙｅｓ）、処理はＳ２０３に進む。そうでない場合（Ｓ２０２  Ｎｏ）、異なる出力機器からの画像データであると判定し、処理はＳ２１０へ移行する。
【００４１】
Ｓ２０３で、判定部１１６は、出力端子情報の端子種別が同一か否かを判定する。付加情報から抽出した出力端子情報の端子種別を比較する。端子種別とは、撮影した映像を加工せずにそのまま出力する端子か、モニタリング用に加工した映像を出力する端子かどうかを区別するための情報である。ここで、端子種別が同一である場合（Ｓ２０３  Ｙｅｓ）、処理はＳ２０４へ移行し、そうでない場合（Ｓ２０３  Ｎｏ）、処理は、Ｓ２１０へ移行する。
【００４２】
Ｓ２０４で、判定部１１６は、画像データの端子番号が同一か否かを判定する。判定部１１６は、付加情報から抽出した出力端子情報の端子番号を比較する。端子番号とは、出力機器に搭載された出力端子を区別するための情報である。ここで、端子番号が同一である場合、処理は、Ｓ２０９へ移行し、異なる場合、処理は、Ｓ２０５へ移行する。端子番号が同一であるケースとしては、画像分配器等の機材を介して複製された同一の画像信号が、表示装置の複数入力端子に入力されるようなケースが想定される。
【００４３】
Ｓ２０４でＮｏと判定されるケースは、画像データが同一の出力装置の同一の種類の画像データを出力するための出力端子から出力されたものであって、互いに異なる出力端子から出力されたものである場合である。
【００４４】
Ｓ２０５で、判定部１１６は、画像データの色変換情報が同じか否かを判定する。判定部１１６は、付加情報から抽出した色変換情報を比較する。色変換情報の全ての項目が一致する場合、処理は、Ｓ２０６へ移行し、それ以外の場合、処理は、Ｓ２１０に移行する。
【００４５】
Ｓ２０６で、判定部１１６は、画像データの分割数が同じであるか否かを判定する。判定部１１６は、付加情報から抽出した画像構成情報の分割数（垂直、水平）を比較する。分割数とは、所定の画像データが大きい解像度の画像を分割した複数画像の一部である場合に、いくつの画像に分割されて出力されているかを示す情報である。分割数が同一である場合、処理は、Ｓ２０７へ移行し、分割数が異なる場合、処理は、Ｓ２１０へ移行する。
【００４６】
Ｓ２０７で、判定部１１６は、分割数が２以上であるか否かを判定する。判定部１１６は、Ｓ２０６で、同一であると判定された各画像データの分割数を参照し、分割数が１である場合、処理は、Ｓ２０９へ移行する。分割数が２以上である場合、処理は、Ｓ２０８へ移行する。
【００４７】
Ｓ２０８で、判定部１１６は、画像データの配置位置が同一であるか否かを判定する。判定部１１６は、付加情報から抽出した画像構成情報の配置位置（垂直、水平）を比較する。配置位置とは、前述した分割数が２以上であった場合に、所定の画像データが分割された画像のどこの位置の画像かを示す情報である。例えば、分割数が水平２、垂直２であって、配置位置が水平１、垂直２であれば、４つに分割された画像の左下の画像であることを示している。配置位置が同一である場合、処理は、Ｓ２０９へ移行する。配置位置が異なる場合、処理は、Ｓ２１０へ移行する。
【００４８】
Ｓ２０９で、判定部１１６は、比較対象の２つの画像データが同一の画像データであると判定する。また、Ｓ２１０で、判定部１１６は比較対象の２つの画像データが異なる画像データであると判定する。それぞれの処理のあと、処理はＳ２１１へ移行する。
【００４９】
Ｓ２１１で、判定部１１６は、入力している全ての画像データの組み合わせに対して同一画像の判定が終了しているか否かを判定する。全ての画像データの組み合わせに対して同一画像の判定が終了している場合、処理は、Ｓ２１２へ移行し、まだ判定が完了していない画像データの組み合わせがある場合は、判定が終了していない組み合わせに対してステップＳ２０１からの処理を実行する。
【００５０】
Ｓ２１２で、判定部１１６は、同一画像の判定結果を、生成部１１１へ出力する。図６は、４つの画像データａ〜ｄが入力された場合に、判定部１１６が出力した同一画像判定結果を示すテーブルを示す模式図である。図６（ａ）は、画像データａ〜ｄが、全て同一であると判定された場合のテーブルである。図６（ｂ）は、画像データａと画像データｂが同一で、さらに画像データｃと画像データｄが同一であると判定された場合のテーブルである。図６（ｃ）は、画像データａ〜ｃが同一で、画像データｄのみ異なると判定された場合のテーブルである。なお、全ての画像データが異なる画像データである場合、図６に示すような同一画像判定結果のテーブルは生成されないとする。
【００５１】
図７は、図６に示す同一画像の判定結果に基づいて生成された表示画像を示す模式図である。図７（ａ）は、図６（ａ）で示す同一判定結果を入力した場合の表示画像を示す模式図である。図６（ａ）に示すように、画像データａ〜ｄが、全て「同一データ１」に含まれるため、生成部１１１は、「同一データ１」の中の１つの画像データ（画像データａ）のみを用いて表示画像データを生成する。その結果、表示対象の画像データは画像データａの１つだけとなるため、生成部１１１は画像データａを表示部の中央に配置して合成画像データを生成する。
【００５２】
図７（ｂ）は、図６（ｂ）で示す同一判定結果を入力した場合の表示画像を示す模式図である。図６（ｂ）に示すように、画像データａと画像データｂとが「同一データ１」に、画像データｃと画像データｄとが「同一データ２」に含まれる。生成部１１１は、「同一データ１」の中の１つの画像データ（画像データａ）及び「同一データ２」の中の１つの画像データ（画像データｃ）を用いて表示画像データを生成する。その結果、表示対象の画像データは画像データａと画像データｃとの２つとなるため、生成部１１１は画像データａと画像データｃとを表示部の左右に配置して合成画像データを生成する。
【００５３】
図７（ｃ）は、図６（ｃ）で示す同一判定結果を入力した場合の表示画像を示す模式図である。図６（ｃ）に示すように、画像データａと画像データｂと画像データｃとが「同一データ１」に含まれる。生成部１１１は、「同一データ１」の中の１つの画像データ（画像データａ）及びどの画像データとも同一でない画像データｄを用いて表示画像データを生成する。その結果、表示対象の画像データは画像データａと画像データｄとの２つとなるため、生成部１１１は、画像データａと画像データｄとを表示部の左右に配置して合成画像データを生成する。
【００５４】
以上説明したように、第１の実施形態に係る表示装置１は、入力される複数の映像信号に対応する画像データが同一の画像データかどうかを、画像データに重畳された付加情報に基づいて判定する。そして、表示装置１は、同一の画像データである場合に、同一の複数画像データのうち１つだけを表示するように制御する。このようにすることで、取得した複数の画像データが同一の画像データを複数含む場合に、表示装置１が、重複した画像データを表示せずに確認作業に必要な画像データのみを表示することを速やか実行することが可能となる。したがって、ユーザは、どの画像データを表示すべきかに関する設定操作を手動で設定するという作業や、同一の画像データが同時に表示されることによる煩わしさを無くすことができ、ユーザの作業を効率化することができる。
【００５５】
なお、判定部１１６が同一の画像であるか否かの判定に用いる出力装置情報、出力端子情報、画像構成情報、は、図２から図２（ｄ）に示すようなテーブル以外の形式に限らない。それぞれの情報は、より詳細な情報を含んでもよい。例えば、判定部１１６は、出力装置情報、出力端子情報、画像構成情報、色変換情報以外の情報を参照して、同一の画像であるか否かを判定しても良い。例えば、各画像データに紐づいた、最大輝度、平均輝度等を示す輝度情報や、を同一画像の判定に用いても良い。
【００５６】
また、各画像データが、波形モニタ画面や音声レベルメータ画面等の画像データの特性を示す特性画像や、撮影時の設定情報を示す画像等を重畳しているかを示す特性画面情報を同一画像の判定に用いても良い。また、撮像装置の撮像センサで撮像した画像から一部の領域のみを出力するような場合の、どこの領域（切り出し位置、サイズ、拡大率）を出力しているかを示すトリミング情報を同一画像の判定に用いても良い。
【００５７】
なお、画像生成部１１０は、ユーザにより設定された表示モードに基づいて、取得した画像データａ〜ｄを合成して表示画像データを生成するものであってもよい。表示装置１は、本実施形態で説明したように、表示画像データを生成するために用いる画像データを、付加情報を用いて自動で判別して表示する「自動選択モード」の他に、選択された画像データを用いて表示画像データを生成する表示モードを備えていてもよい。例えば、表示装置１は、複数の画像データａ〜ｄのうち、ユーザが選択した入力端子を介して入力された映像信号に含まれる画像データを用いて表示画像データを生成する「ユーザ選択モード」で動作することも可能である。また、表示装置１は、入力端子に入力された画像データａ〜ｄをすべて用いて表示画像データを生成する「全信号表示モード」で動作することも可能である。ユーザは、これらの複数の表示モードのうち、任意の表示モードを非図示の操作部を用いて設定することができる。
【００５８】
例えば、「ユーザ選択モード」が設定された場合、画像生成部１１０は、ユーザが選択した入力端子に入力された映像信号に含まれる画像データのみを用いて、表示画像データを生成する。「複数信号選択モード」で２つの入力端子からのみ映像信号が入力された場合、もしくは、「ユーザ選択モード」でユーザが２つの入力端子のみを選択した場合、画像データを左右に配置して表示画像データを生成する。また、表示画像データを生成する対象の画像データが３〜４つの場合は表示部の左上、右上、左下及び右下に配置して合成画像データを生成するとする。
【００５９】
＜第２の実施形態＞
第２の実施形態に係る表示装置は、表示されている画像に関する情報を示す画面を重畳して表示する機能を有する点で、第１の実施形態に係る表示装置１と異なる。第２の実施形態に係る表示装置の構成は、図６に示した第１の実施形態に係る表示装置１と同様であるので、説明を省略する。以下、第１の実施形態に係る表示装置１と異なる点について説明する。
【００６０】
生成部１１１は、表示対象となる画像データを合成するとともに、各画像データのフォーマット及びどの画像データが表示対象なのかを示す表示画像情報を、ＯＳＤ生成部１１８に出力する。また。判定部１１６は、同一画像判定結果をＯＳＤ生成部１１８にも出力する。
【００６１】
図８は、表示画像情報の一例を示すテーブルを示す模式図である。図８に示すように、表示画像情報には、画像データの番号、フォーマット情報及び表示対象かどうかの情報が含まれている。図８（ａ）は、図６（ａ）で示す同一判定結果を入力した場合の表示画像情報の例である。この場合、表示対象の画像データは画像データａの１つだけとなるため、表示画像情報の表示対象は画像データａが「ＴＲＵＥ」、画像データｂと画像データｃと画像データｄが「ＦＡＬＳＥ」に設定される。
【００６２】
図８（ｂ）は、図６（ｂ）で示す同一判定結果を入力した場合の表示画像情報の例である。この場合、表示対象の画像データは画像データａと画像データｃの２つとなるため表示対象は画像データａと画像データｃが「ＴＲＵＥ」、画像データｂと画像データｄが「ＦＡＬＳＥ」に設定される。
【００６３】
図８（ｃ）は、図６（ｃ）で示す同一判定結果を入力した場合の表示画像情報の例である。この場合、表示対象の画像データは画像データａと画像データｄの２つとなるため表示対象は画像データａと画像データｄが「ＴＲＵＥ」、画像データｂと画像データｃが「ＦＡＬＳＥ」に設定される。
【００６４】
ＯＳＤ生成部１１８は、生成部１１１より取得した表示画像情報及び判定部１１６より取得した同一画像判定結果に応じて、ＯＳＤ画像を生成する。ＯＳＤ生成部１１８は、各画像データの項目に対して、表示対象が「ＴＲＵＥ」の場合は、フォーマットを示す情報および「表示中」であることを示す情報を表示する。また表示対象が「ＦＡＬＳＥ」であって、同一画像判定結果で同一の画像データが存在する場合には、「該画像データと同一であること」を示す情報及び「非表示」であることを示す情報を表示する。
【００６５】
図９は、ＯＳＤ生成部１１８が生成したＯＳＤ画像を示す模式図である。図９（ａ）は、図８（ａ）で示す表示画像情報及び図６（ａ）で示す同一判定結果を入力した場合の表示画像情報を示すＯＳＤ画像の例である。表示対象「ＴＲＵＥ」である画像データａを示す項目には、画像データａのフォーマットを示す情報及び「表示中」であることを示す情報を表示する。表示対象「ＦＡＬＳＥ」である画像データｂと画像データｃと画像データｄとを示す項目には、「画像データａと同一であること」を示す情報及び「非表示」を示す情報を表示する。
【００６６】
図９（ｂ）は、図８（ｂ）で示す表示画像情報及び図６（ｂ）で示す同一判定結果を入力した場合の表示画像情報を示すＯＳＤ画像の例である。表示対象「ＴＲＵＥ」である画像データａと画像データｃを示す項目には、各画像データのフォーマットを示す情報及び「表示中」であることを示す情報を表示する。表示対象「ＦＡＬＳＥ」である画像データｂを示す項目には、「画像データａと同一であること」を示す情報及び「非表示」を示す情報を表示する。表示対象「ＦＡＬＳＥ」である画像データｄを示す項目には、「画像データｃと同一であること」を示す情報及び「非表示」を示す情報を表示する。
【００６７】
図９（ｃ）は、図８（ｃ）で示す表示画像情報及び図６（ｃ）で示す同一判定結果を入力した場合の表示画像情報を示すＯＳＤ画像の例である。表示対象「ＴＲＵＥ」である画像データａと画像データｄを示す項目には、各画像データのフォーマットを示す情報及び「表示中」であることを示す情報を表示する。表示対象「ＦＡＬＳＥ」である画像データｂと画像データｃとを示す項目には、「画像データａと同一であること」を示す情報及び「非表示」を示す情報を表示する。
【００６８】
ＯＳＤ合成部１１３は、ＯＳＤ生成部１１７から入力されたＯＳＤ画像及び、ＯＳＤ生成部１１８から入力されたＯＳＤ画像を、表示画像データに合成する。図１０は、ＯＳＤ合成部１１３において、カメラ情報を示すＯＳＤ画像に加え表示画像情報を示すＯＳＤ画像を重畳して合成した画面の例を示す。図１０（ａ）は、図９（ａ）で示す表示画像情報を示すＯＳＤ画像を重畳して合成した画面の例である。図１０（ｂ）は、図９（ｂ）で示す表示画像情報を示すＯＳＤ画像を重畳して合成した画面の例である。図１０（ｃ）は、図９（ｃ）で示す表示画像情報を示すＯＳＤ画像を重畳して合成した画面の例である。
【００６９】
以上説明したように、表示装置は、現在どの画像データが表示されており、どの画像データと同一であるかを示す表示画像情報を示すＯＳＤ画像を、画面に重畳して表示する。
【００７０】
表示装置は、「自動表示モード」にて表示対象となる画像データを自動で判定して画面を構成した場合においても、表示対象の画像データがどのような要因で表示対象となり、また表示対象とならなかったかを容易に判別可能である。
【００７１】
これにより、ユーザは、入力した画像データ全てが表示されない場合においても、自動で判定された画面の構成について即座に理解することが可能となる。
【００７２】
＜その他の実施形態＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００７３】
以上、本発明の実施の形態、及びいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００７４】
１  表示装置
１１  入力端子
１２  画像取得部
１００  画像処理部
１１０  画像生成部
１１１  生成部
１１６  判定部
２００  表示部
【図１】
2019029799.tif 000003
【図２】
2019029799.tif 000004
【図３】
2019029799.tif 000005
【図４】
2019029799.tif 000006
【図５】
2019029799.tif 000007
【図６】
2019029799.tif 000008
【図７】
2019029799.tif 000009
【図８】
2019029799.tif 000010
【図９】
2019029799.tif 000011
【図１０】
2019029799.tif 000012